(57)【要約】【課題】  遊技の興趣をより高めることのできる回転体装置を提供すること。【解決手段】  筒状の軸部７８と、軸部７８の周面から放射状に突出するように軸部７８に設けられた複数の羽根７６ａ，ｂ，ｃと、軸部７８に挿通されて遊技盤６の前面と平行に回転可能に遊技盤６に取り付けられる回転軸７２とが備えられる回転体本体７０ａを有するパチンコ機３の回転体装置４０ａにおいて、回転体本体７０ａの背面側に入賞口８８を設け、また、入賞口８８の周辺に、入賞口８８の正面側に遊技球を反発誘導させる第一ストッパー５０、第二ストッパー５８を設けた。また、ウェイト８６ａ，ｂを備えることによって回転体本体７０ａの重心を回転軸７２から偏芯された位置に設けた。    【選択図】    図２
2009142457.tif 000002
【特許請求の範囲】
【請求項１】
筒状の軸部と、該軸部の周面から放射状に突出するように該軸部に設けられた複数の羽根、リブまたは突起と、軸部に挿通されて遊技盤の前面と平行に回転可能に遊技盤に取り付けられる回転軸とが備えられる回転体本体を有するパチンコ機の回転体装置であって、該回転体本体の背面側に入賞口を設けたことを特徴とするパチンコ機の回転体装置。
【請求項２】
前記入賞口の周辺に、前記入賞口の正面側に遊技球を反発誘導させるストッパーが設けられたことを特徴とする請求項１に記載のパチンコ機の回転体装置。
【請求項３】
前記回転体本体の正面側に、前記入賞口の開口部の正面側を被覆可能な前面板が設けられたことを特徴とする請求項１または請求項２に記載のパチンコ機の回転体装置。
【請求項４】
前記前面板が透明または半透明に設けられたことを特徴とする請求項３に記載のパチンコ機の回転体装置。
【請求項５】
筒状の軸部と、該軸部の周面から放射状に突出するように該軸部に設けられた複数の羽根、リブまたは突起と、軸部に挿通されて遊技盤の前面と平行に回転可能に遊技盤に取り付けられる回転軸とが備えられる回転体本体を有するパチンコ機の回転体装置であって、該回転体本体の重心が前記回転軸から偏芯された位置に設けられたことを特徴とするパチンコ機の回転体装置。
【請求項６】
前記回転体本体の重心が前記回転軸から偏芯された位置に設けられたことを特徴とする請求項１から請求項４までのいずれかに記載のパチンコ機の回転体装置。
【請求項７】
前記回転体本体の重心が前記回転軸から偏芯された位置に設けられる手段が、回転体本体の前記前面板に取り付けられたウェイトであることを特徴とする請求項５または請求項６に記載のパチンコ機の回転体装置。
【請求項８】
前記回転体本体の重心が前記回転軸から偏芯された位置に設けられる手段が、回転体本体の前記羽根、リブまたは突起に取り付けられたウェイトであることを特徴とする請求項５または請求項６に記載のパチンコ機の回転体装置。
【発明の詳細な説明】
【技術分野】
【０００１】
本発明はパチンコ機の回転体装置に関する。
【背景技術】
【０００２】
従来、多くのパチンコ機の遊技盤には、落下する遊技球をランダムな方向に変化させる回転体装置（いわゆる「風車装置」）が設けられており、遊技球の落下方向に変化をもたせることによって遊技の興趣を高めるようにされていた。この種の回転体装置は、遊技盤に打設された回転軸に対して回転自在に設けられると共に複数の羽根を備え、上方から落下してくる遊技球が羽根に落下した際に回転体が任意の方向に回転して、遊技球の落下方向をランダムに変化させる（例えば、特許文献１参照。）。
【０００３】
【特許文献１】特開２００６−２９６５８５公報（図１、図４、図５）
【発明の開示】
【発明が解決しようとする課題】
【０００４】
従来の回転体装置は、前述のようにして遊技球の落下方向をランダムに変化させ、遊技の興趣を高めるものではあるが、遊技球の落下方向を変化させるだけにとどまり、入賞口のように遊技球の入賞の機会まで与えるものではない。このため、他の入賞装置などと比較すると、回転体装置による遊技の興趣の向上も一定程度にどどまり、したがって、回転体装置に対する遊技者の着目度も高くはない。
【０００５】
また、上方から落下してくる遊技球は、回転体の正面視中心から左右いずれかに角度や位置をずらされるように変化させる程度にとどまり、例えば、正面視左側寄りに落下してきた遊技球を回転体の反対側の右側寄りに落下させるような変化までを与えることは困難である。よって、遊技球の落下方向を極端に変化させることはできず、回転体による遊技の興趣の向上も一定にとどまる。
【０００６】
本発明は上記した従来のパチンコ機の回転体装置の問題点を解消するものであり、遊技の興趣をより高めることのできる回転体装置を提供することを目的とする。
【課題を解決するための手段】
【０００７】
以上の課題を解決するために、本発明の採った手段を以下に説明する。本発明のパチンコ機の回転体装置は、筒状の軸部と、該軸部の周面から放射状に突出するように該軸部に設けられた複数の羽根、リブまたは突起と、軸部に挿通されて遊技盤の前面と平行に回転可能に遊技盤に取り付けられる回転軸とが備えられる回転体本体を有するパチンコ機の回転体装置であって、該回転体本体の背面側に入賞口を設けたことを特徴とするパチンコ機の回転体装置（請求項１）である。
【０００８】
回転体本体の背面側に入賞口を設けることにより、回転体に接触した遊技球について、単にその落下方向などに変化を与えるだけではなく、回転体本体に接触したことによる入賞の機会を多く与えることができる。「入賞口」の種類・態様については特に限定されず各種の入賞口を設けることができる。「回転体本体」には、羽根状の部位の他に、リブや突起が複数設けられる態様でも良い。
【０００９】
また、前記入賞口の周辺に、前記入賞口の正面側に遊技球を反発誘導させるストッパーが設けられたことを特徴とする請求項１に記載のパチンコ機の回転体装置（請求項２）とすることもできる。
【００１０】
ストッパーを設けることにより、羽根、リブまたは突起に弾かれた遊技球をより多く入賞口に導くことができる。
【００１１】
また、前記回転体本体の正面側に、前記入賞口の開口部の正面側を被覆可能な前面板が設けられたことを特徴とする請求項１または請求項２に記載のパチンコ機の回転体装置（請求項３）とすることもできる。
【００１２】
このような前面板を設けることにより、前面板に接触した遊技球を入賞口に向かって反発させ、遊技球をより多く入賞口に導くことができる。
【００１３】
また、前記前面板が透明または半透明に設けられたことを特徴とする請求項３に記載のパチンコ機の回転体装置（請求項４）とすることもできる。
【００１４】
前面板を透明または半透明に設けることにより、前面板の背面側を通過する遊技球の動きを遊技者が目視することができる。特に入賞口を備えた回転体装置においては、入賞口への遊技球の入賞の有無を目視でリアルタイムに確認することができ、遊技者のより一層の興味を引くことができる。
【００１５】
また、筒状の軸部と、該軸部の周面から放射状に突出するように該軸部に設けられた複数の羽根、リブまたは突起と、軸部に挿通されて遊技盤の前面と平行に回転可能に遊技盤に取り付けられる回転軸とが備えられる回転体本体を有するパチンコ機の回転体装置であって、該回転体本体の重心が前記回転軸から偏芯された位置に設けられたことを特徴とするパチンコ機の回転体装置（請求項５）とすることもできる。
【００１６】
回転体本体の重心を回転軸からみて偏芯された位置に設けることにより、落下してくる遊技球の接触による回転体本体の回転を不定速としたり、回転体本体が揺動するように動かせることができ、従来の回転体装置のように一定方向にほぼ定速で回転するのではなく、回転体本体によりランダムな動きを与えることができる。よって、回転体本体に接触した遊技球の落下方向や落下角度、あるいは落下速度を従来の回転体装置と比較してより大きく変化させることができる。また、例えば、回転体本体の正面視右側に落下してきた遊技球を回転体本体の正面視左側に落下させるような動きを与えることも可能となる。「回転体本体」には、羽根状の部位の他に、リブや突起が複数設けられる態様でも良いことは請求項１の回転体装置と同様である。
【００１７】
また、前記回転体本体の重心が前記回転軸から偏芯された位置に設けられたことを特徴とする請求項１から請求項４までのいずれかに記載のパチンコ機の回転体装置（請求項６）とすることもできる。
【００１８】
遊技球の落下方向などをより大きく変化させることができる回転体装置を入賞口が設けられた回転体装置に適用するものとすると、入賞口への遊技球の入賞がよりランダムとなり、遊技の興趣をより一層高めることができる。
【００１９】
また、前記回転体本体の重心が前記回転軸から偏芯された位置に設けられる手段が、回転体本体の前記前面板に取り付けられたウェイトであることを特徴とする請求項５または請求項６に記載のパチンコ機の回転体装置（請求項７）とすることもできる。
【００２０】
前面板にウェイトを取り付けることにより、羽根、リブまたは突起が備えられる回転部材にはウェイトを設ける必要はない。よって、回転部材については既存の回転部材を用いることができ、製造コストを低減することができる。
【００２１】
また、前記回転体本体の重心が前記回転軸から偏芯された位置に設けられる手段が、回転体本体の前記羽根、リブまたは突起に取り付けられたウェイトであることを特徴とする請求項５または請求項６に記載のパチンコ機の回転体装置（請求項８）とすることもできる。
【００２２】
羽根、リブまたは突起にウェイトを設けることにより、透明または半透明に設けられた前面板の透視の妨げとならないようにすることができる。
【発明の効果】
【００２３】
本発明のパチンコ機の回転体装置は上記のように構成されているので、遊技上の遊技者の注目を惹き遊技の興趣をより一層高めることができる。特に入賞口が設けられた回転体装置では入賞の機会を与えることにより、回転体本体の動きに遊技者が強く注目する効果を奏し興趣を高めることができる。
【発明を実施するための最良の形態】
【００２４】
次に、本発明のパチンコ機の回転体装置の実施の形態を図を参考にして詳細に説明する。図１に示すように、本発明に係る回転体装置４０ａは、パチンコ機３の遊技盤６上に取付固定されており、遊技領域１３内に弾発されて上方より落下されてきた遊技球が、その落下方向を変化され、または入賞するように設けられているパチンコ機３の役物の一種である。
【００２５】
［パチンコ機全体の構成］
パチンコ機３の機枠１は、パチンコ機３の本体２を遊技ホールの設置場所（いわゆる「島設備」）に固定するためのものであり縦長長方形状の木製の枠部材から構成されている。機枠１の前面には、機枠１に対してヒンジ機構によって開閉自在に取付固定された前面枠４が設けられている。
【００２６】
また前面枠４のさらに前面側上部には、ガラス扉枠５が開閉自在に取付固定されている。ガラス扉枠５の背面側には遊技盤６が配設されており、ガラス扉枠５の内側に取り付けられたガラス板を透過して遊技盤６を視認することができる。また、前面枠４の前面側下部には、球受け皿８などが備え付けられた前面扉７が開閉自在に取付固定されている。
【００２７】
遊技盤６の前面には、遊技盤６の周辺付近に全体がほぼ円形状に配設されたガイドレール１２が取り付けられており、このガイドレール１２に囲まれた区画が遊技領域１３とされている。遊技領域１３のほぼ中央には数字又は記号などの図柄が変動表示される３つの表示部１５を有する特別図柄表示装置１４が配設されている。  
【００２８】
また、特別図柄表示装置１４の下方には、遊技球が入賞することによって表示部１５の複数の図柄を変動させる始動入賞口１６が設けられている。始動入賞口１６には、起立状態または逆ハ字状態に可変する一対の開閉翼片１７ａ，１７ｂが設けられている。開閉翼片１７ａ，１７ｂは、通常時には起立状態とされ、一方、特別の遊技状態の場合には逆ハ字状態に可変されて、始動入賞口１６への遊技球の入賞を通常時よりも容易となるように設けられている。
【００２９】
始動入賞口１６の下方には大型の可変大入賞口装置１８が配設されている。可変大入賞口装置１８には正面視横長矩形状の開口部１９が備えられており、この開口部１９に対して、開口部１９下辺を中心軸として前方側に傾動可能な開閉扉２０が取り付けられている。この開閉扉２０は、ゲーム進行が通常時の普通遊技状態においては閉じられており、一方、いわゆる「大当たり」などの特別遊技状態に移行した場合には開放されて、遊技球が多数入賞可能となるように構成されている。
【００３０】
遊技盤６の前面の始動入賞口１６の左右には、通過チャッカー３６がそれぞれ取り付けられており、特別図柄表示装置１４の上部に、普通図柄表示装置３８が設けられている。遊技盤６には、これらの他に一般入賞口３４や多数の釘などが取り付けられている。そして、特別図柄表示装置１４の左右に、本発明の回転体装置４０ａ及び回転体装置４０ｂが取り付けられている。
【００３１】
また、上記した前面扉７には、遊技球を発射装置に供給するための球受け皿８の他に、球受け皿８の余剰球を貯留するための余剰球受け皿９や、発射装置を駆動して遊技球を遊技領域１３に向けて発射するための操作ハンドル１０が取り付けられている。
【００３２】
そして、遊技領域１３に打ち込まれた遊技球が始動入賞口１６に入賞すると、特別図柄表示装置１４における表示部１５の複数の図柄が変動を開始し、一定時間経過後にその可変表示が停止する。そして、その停止時における表示の組み合わせが特定の組み合わせ（例えば「７，７，７」）に揃うと特別遊技状態となり、可変大入賞口装置１８の開閉扉２０を所定時間（例えば３０秒、又は打球が１０個入るまでの間）開き続け、一定の条件の下に閉じた後再び開成する動作が繰り返し行なわれ、多くの入賞球を発生させて遊技者にとって多大な利益が付与されるように構成されている。また、遊技中に通過チャッカー３６に遊技球が通過すると普通図柄表示装置３８の数字が変動を開始し、一定時間経過後に停止する。この際に、表示された数字が特定の数字（例えば「３」または「７」）になると、始動入賞口１６の開閉翼片１７ａ，１７ｂが一定時間（例えば３秒）の間、逆ハの字状に傾動し、始動入賞口１６へ遊技球が入賞しやすくして遊技の興趣を高めるように構成されている。
【００３３】
［回転体装置の構成］
次いで、本発明に係る回転体装置４０ａについて詳細を説明する。図２から図７に示すように、回転体装置４０ａには、遊技盤６に取り付けられるベース４２と、ベース４２の前面に回転自在に取り付けられる回転体本体７０ａとが備えられている。
【００３４】
図２に示すように、ベース４２には、遊技盤６に沿って取り付けられる取付板４４と、取付板４４の上部に設けられる流入口５２と、取付板４４の中心からやや左上方寄りに開口された入賞口５６と、入賞口５６の背面側に連通して形成された流下樋６２と、取付板４４の下方に設けられた排出口６０とが備えられている。そして、流入口５２上方から流入口５２内に流入した遊技球の一部が入賞口５６に、残りの一部が排出口６０から下方に排出されるように設けられているものである。
【００３５】
取付板４４は、正面視において、上部４６がやや幅広の逆お椀状に、下部４８がやや幅狭の矩形状に設けられた薄板状に形成されている。そして、上部４６の中央上端部には流入口５２が設けられている。また、流入口５２の直下、上部４６のほぼ中央付近には、後述する回転体本体７０ａの回転軸７２が挿通される挿通孔５４が穿設されている。
【００３６】
図４に示すように、流入口５２は、平面視がほぼ正方形の矩形状に開口されており、その内径は、遊技球１個分よりもやや大きく形成され、一度に遊技球が１個だけ通過可能に設けられている。流入口５２内には、流入口５２の中心方向に向かって下り傾斜に形成された傾斜部５３が流入口５２の開口縁に沿って形成されており、この傾斜部５３に遊技球が接触した場合に流入口５２の中心に向かって遊技球が落下するように設けられている。
【００３７】
図２、図５及び図７に示すように、取付板４４の挿通孔５４の正面視左側には、左下がりに傾斜して開口された長円状の入賞口５６が設けられている。また、入賞口５６短手方向の幅は遊技球の直径よりもやや大きく形成されている。また、入賞口５６の長手方向は、前述した挿通孔５４に回転軸７２が取り付けられて回転自在に設けられた回転体本体７０ａにおいて、回転体本体７０ａの回転動作の際に、羽根７６ａ，ｂ，ｃ間の保留部８０が正面側に通過する位置に沿って設けられている。よって、保留部８０に保留された遊技球が入賞口５６正面側を通過した場合には、入賞口５６に入賞するように設けられている。
【００３８】
また、入賞口５６の挿通孔５４と反対側には、入賞口５６の長手方向にほぼ沿うように正面側に立設された壁状の第一ストッパー５０が設けられている。第一ストッパー５０の上端は流入口５２の左端よりもやや左側に位置している。また、挿通孔５４方向に向かって中央が緩やかに湾曲状に突出する正面視円弧状に形成されている。よって、入賞口５６の上部において遊技球が第一ストッパー５０の外側に逃げることが無く第一ストッパー５０方向に飛んだ遊技球が反発されて入賞口５６方向に誘導され易く設けられている。
【００３９】
また一方で、このように構成された第一ストッパー５０により、流入口５２から流入した遊技球以外の遊技球が、入賞口５６に直接入賞しないように設けられ、流入口５２に流入した遊技球のみが入賞口５６に入賞可能となるように設けられている。
【００４０】
また、第一ストッパー５０と挿通孔５４との間隔は、遊技球の直径よりも大きな間隔に設けられており、挿通孔５４に対して回転軸７２によって回転自在に取り付けられた回転体本体７０ａの保留部８０と第一ストッパー５０との間を下方に向けて遊技球が通過可能に設けられている。
【００４１】
また、入賞口５６の下端の下方には、右下がりの傾斜面５１を有する第二ストッパー５８が設けられており、入賞口５６の前面を、入賞口５６に入賞することなく通過しようとする遊技球の一部を入賞口５６方向に反発誘導し、入賞口５６の手前を通過しようとする遊技球の入賞の機会を高めることとしている。
【００４２】
そして図２から図４及び図７に示すように、挿通孔５４や入賞口５６の下方には、回転体装置４０ａの正面視左側においては第二ストッパー５８の傾斜面５１と保留部８０との間に、及び正面視右側においては、保留部８０の外側に、入賞口５６に入賞しなかった遊技球を回転体装置４０ａ下方の遊技盤６上に排出する排出口６０が設けられている。
【００４３】
また、図３、図４及び図６に示すように、入賞口５６の背面側には、入賞口５６に連通される流下樋６２が設けられている。流下樋６２は、入賞口５６に入賞した遊技球をパチンコ機３外に排出するために設けられるものである。流下樋６２は、入賞口５６の背面側から連設され取付板４４の上部４６の縦軸中心方向に向かって正面視右下がりに傾斜して形成され、次いで下部４８から鉛直線方向に屈曲連設され、そして下端部において背面側に向けて屈曲形成されている。そして、図示は省略するが、流下樋６２の下端はパチンコ機３本体２内に設けられた排出樋に連通接続されており、入賞口５６に入賞した遊技球は排出樋からパチンコ機３外に排出されるように設けられている。
【００４４】
次いで回転体本体７０ａについて説明する。図２から図５に示すように、回転体本体７０ａは、取付板４４に対して、取付板４４の正面側において、挿通孔５４に軸着された回転軸７２を介して回転自在に取り付けられており、流入口５２から落下してきた遊技球が衝突することにより左右いずれかに任意に回転可能に設けられている。
【００４５】
図２及び図３に示すように、回転体本体７０ａには、羽根７６ａ，ｂ，ｃを有する回転部材７４と、回転部材７４の正面側に取り付けられた前面板８２とが備えられている。回転部材７４には、回転軸７２が挿通固定される軸部７８を中心として、この軸部７８の軸心回りに約１２０度ずつずらした位置に、軸心外径方向に突出された３つの羽根７６ａ，ｂ，ｃが設けられている。
【００４６】
羽根７６ａ，ｂ，ｃは、図３に示すように、背面側にいくにしたがって緩やかに肉薄となり、上面が後方に行くに従って下さがりの傾斜面に設けられている。このため、羽根７６ａ，ｂ，ｃ上に落下した遊技球が、背面側の入賞口５６に誘導され易く設けられている。特に、羽根７６ａの羽根７６ｂ側の面の傾斜角度が強く形成されている。これは、後述するように、ウェイト８６ａ，ｂによって、通常時には羽根７６ａの羽根７６ｂ側の面に遊技球が落下した場合に入賞口５６に遊技球が入賞することが多いため、傾斜角度を強めて入賞口５６へ誘導し易くするためである。また、隣りあう二つの羽根７６の境界部は、二つの羽根７６に挟まれ凹部状の保留部８０とされており、回転体本体７０ａに至った遊技球は、この保留部８０に導かれやすく設けられている。なお、羽根７６ａ，ｂ，ｃに限らず、リブや突起など、遊技球の落下方向などに変化を与える他の形状のものでも良い。
【００４７】
回転部材７４の正面側、すなわち、羽根７６ａ，ｂ，ｃの正面側端部には、前面板８２が取り付けられている。前面板８２は正面視真円状の薄板状に設けられており、その外径は、３つの羽根７６ａ，ｂ，ｃの先端部を含む円よりも僅かに大きく設けられている。また、前面板８２の中心には挿通孔８４が形成されており、回転部材７４とともに回転軸７２により取付板４４に回転自在に固定されている。
【００４８】
また、前面板８２は透明に設けられており、その背面側を通過する遊技球を正面側から目視できるように構成されている。このため、前面板８２の背面側に入賞口５６を設けた本回転体装置４０ａにおいて、遊技者は、前面板８２の背面側を通過する遊技球が入賞口５６に入賞するかどうかを目視でリアルタイムに確認することができる。
【００４９】
また、前面板８２が回転体本体７０ａとは別体に設けられることにより、前面板８２及び回転体本体７０ａを相互に別々に変更することができ、例えば、前面板８２を変更することなく、羽根７６ａ，ｂ，ｃの角度を変更した別の回転体本体を取り付けることが可能である。  
【００５０】
また、前面板８２にはウェイト８６ａ，ｂが取り付けられている。また、ウェイト８６ａ，ｂは円盤状に形成されている。ウェイト８６ａ，ｂは、各羽根７６ａ，ｂ，ｃのうちの羽根７６ａ，ｃ間、及び羽根７６ｂ，ｃ間にのみ取り付けられており、回転体本体７０ａの重心を回転軸７２から羽根７６ｂ，ｃ間の方向へ偏芯させている。よって、遊技球が接触せず回転体本体７０ａに力が加えられていない通常時には、前面板８２は、羽根ｃを下方に向けた位置でその回転が停止されるように設けられている。また、羽根ａ，ｂ，ｃなどの回転体本体７０ａに遊技球が接触した場合には、回転体本体７０ａが回転するが、ウェイト８６ａ，ｂの重みにより、前述のように、羽根ｃを下方に向けた位置に収束するように回転し、やがて羽根ｃを下方に向けた位置に収束するように左右に揺動する。なお、例えば、ウェイト８６ａ，ｂが設けられた部位のみについて前面板８２を不透明にしてウェイト８６ａ，ｂを隠すこととしたり、前面板８２を全て不透明にするとともにＬＥＤなどの表示装置をいずれかの部位に取り付け、入賞口５６に入賞した際にはこの表示装置を点灯させるなどして入賞の事実を告知する態様とすることもできる。
【００５１】
このように構成されたパチンコ機３においては、回転体装置４０ａによって以下のように遊技球が処理される。まず、操作ハンドル１０の操作によって発射された遊技球は、遊技盤６上に誘導されて遊技領域１３内を落下する。回転体装置４０ａ上方に至った遊技球のうち、流入口５２内に流入された遊技球は、回転体本体７０ａ方向に誘導落下される。遊技球は、回転体本体７０ａのうち回転部材７４上に落下する。この際に、遊技球の落下位置、落下角度、速度などにより、回転部材７４は左右いずれかの方向に回転または揺動する。
【００５２】
ここで、回転体本体７０ａには、前述のように、その前面板８２に回転軸７２から偏芯した位置にウェイト８６ａ，ｂが取り付けられているため、左右いずれかの方向に定速回転を続けるのではなく、不定速に回転をしたり、速度が一定以下となると左右に揺動したりする。よって、流入口５２から落下してきた遊技球は、回転体本体７０ａの左右のいずれかに落下したとしても、この回転体本体７０ａの動きによって反対側に移動される（例えば、回転体本体７０ａの左側に落下した遊技球が羽根７６によって回転体本体７０ａの右側に弾かれる）ことがある。したがって、回転体本体７０ａによる遊技球の落下方向などの変化がより一層ランダムとなり、遊技者は入賞口５６に入賞するか否かなどについてより一層のスリル感を味わうことができる。
【００５３】
そして、回転体本体７０ａの各部に接触した遊技球は、回転軸７２を中心にして正面視右側に遊技球が誘導された場合には、そのまま排出口６０から回転体装置４０ａ下方に排出される。なお、前述した第二ストッパー５８や第一ストッパー５０は回転体装置４０ａの正面視右側には設けられていない。
【００５４】
一方、図５及び図７に示すように、正面視左側に誘導された遊技球は、入賞口５６に入賞するか、または入賞口５６の正面側を通過して、排出口６０から回転体装置４０ａ下方に排出される。前述のように、入賞口５６の周辺には、第二ストッパー５８及び第一ストッパー５０が設けられているので、正面視左側に誘導された遊技球の多くは、これらに反発されて入賞口５６の正面に誘導される。よって、回転体装置４０ａの正面視左側に誘導された遊技球の多くは入賞口５６に入賞し易く設けられている。
【００５５】
図６に示すように、入賞口５６に入賞した遊技球は流下樋６２に沿って取付板４４裏側に誘導され、さらにパチンコ機３本体２内に設けられた排出樋からパチンコ機３外へ排出される。また、流下樋６２のいずれかの部位には球検知センサー（図示省略）が配設されており、入賞口５６に遊技球が入賞する毎に所定個数の賞球が払い出されるように構成されている。よって、従来の回転体装置とは異なり、入賞口５６への入賞による賞球の払出も期待できるので、遊技者はより一層の興趣を味わうことができる。
【００５６】
次いで、回転体装置の別の態様について説明する。図８に示すのは、第一の実施の形態と異なり、入賞口５６を正面視右側に配設した回転体装置４０ｂである。なお、以下において、前述した第一の実施の形態と共通する構成については、第一の実施の形態と同一の符号を図に付して説明を省略する。この回転体装置４０ｂでは、第一の実施の形態の回転体装置４０ａと正面視においてほぼ左右対称に構成されており、第二ストッパー５８、第一ストッパー５０などは回転体本体７０ｂの右側に配設され、流下樋６２も回転体装置４０ｂ右側の背面側から形成されている。このような回転体装置４０ｂを用意することにより、遊技領域１３内の各部位における遊技球の落下方向に応じて、入賞口５６の位置を異ならせた回転体装置４０ａ，ｂを、遊技領域１３内の適宜の位置に配置することができる。また、羽根７６ｂの羽根７６ａ側の面の後方への下り傾斜角度が強く設けられており、羽根７６ｂ上に遊技球が落下した場合に、遊技球を後方の入賞口５６へ誘導し易くするように構成されている。
【００５７】
また、図９から図１１に示すのは、入賞口８８が取付板４４の上部４６の中央付近、すなわち回転軸７２の上方に開口された回転体装置４０ｃである。この回転体装置４０ｃでは、前述の通り、回転軸７２の上方に、回転軸７２からみて左右対称に緩やかに湾曲された長円形状の入賞口８８が設けられている。取付板４４背面側の流下樋９０は、この入賞口８８の左右両端を含む幅に開口され、回転軸７２直下の回転体装置４０ｃ中心に向けて収束する逆三角形状に形成されている。
【００５８】
また、前面板９２は半円状に形成されている。そしてこの前面板９２は、羽根７６ａ，ｂの正面側に取り付けられており、羽根７６ｃが下方鉛直方向に向けられた状態で、回転軸７２上方にその円弧部を向けた向きに固定されている。そして、この状態において、前面板９２は正面視において入賞口８８の大部分を覆い隠すように設けられている。
【００５９】
また、図１０及び図１１に示すように、本実施の形態においては、第一、第二の実施の形態と異なり、前面板９２にはウェイトは取り付けられておらず、羽根７６ｃにウェイト９４が取り付けられており、回転体本体７０ｃの重心は回転軸７２から羽根７６ｃ方向に偏芯されている。よって、遊技球が接触するなど力が加えられていない状態では、回転体本体７０ｃは羽根７６ｃが下方に向けられるように設けられている。
【００６０】
また、回転体装置４０ｃの流入口５２内には正面側背面側に上下に２箇所設けられた減速用スロープ９６ａ，ｂが形成されている。減速用スロープ９６ａ，ｂは、上方から流入口５２中心に向かって下さがりの傾斜状の突起に形成されており、これらの減速用スロープ９６ａ，ｂにより、流入口５２上方から落下してくる遊技球の勢いを弱めることができる。よって、遊技球の落下の勢いが強く、入賞口８８に入賞し難くなることを回避することができる。また、回転体本体７０ｃへの衝撃を緩和して回転体本体７０ｃの耐久時間を長くすることもできる。
【００６１】
また、流入口５２の左右の上部４６周縁には、ガイド部９８ａ，ｂが設けられている。ガイド部９８ａ，ｂは、円弧状に形成された上部４６の周縁に沿って正面側に立設されており、上方から落下してくる遊技球は、流入口５２に流入するものを除いて、このガイド部９８ａ，ｂによって弾かれる。よって、流入口５２を通過した遊技球以外が入賞口８８に入賞することを防止することができる。
【００６２】
また、図１２及び図１３に示すのは、前述した回転体装置４０ｃにおいて真円状の前面板９９を取り付けるとともに、ウェイトを取り除いたものである。このため、この回転体装置４０ｄでは、回転体本体７０ｄは通常の回転体装置と同様に回転軸７２に重心が設けられており、回転体本体７０ｄは、いったん回転されると一方向に回転を続けるように設けられている。このように回転軸７２に重心が設けられることにより、回転体本体７０ｄは、前述した回転軸７２から偏芯された位置に重心が設けられた他の回転体本体７０ａ〜ｃと比較して、遊技球が落下し接触した際に容易に回転されることになり、遊技球が入賞口８８に入り難い回転体本体７０ｄとすることができる。一方で、本回転装置４０ｃでは減速用スロープ９６ａ，ｂにより落下してきた遊技球の速度を落とすことができるので、減速用スロープ９６ａ，ｂにおいては入賞口８８への入賞確率を高めるように設けられている。
【００６３】
なお、本発明は前述した各回転体装置４０ａ〜ｄの構成に限定されるものではなく、本各発明の範囲内で種々の変更が可能である。前述した各実施の形態において、各入賞口５６，８８への入賞の確率は、羽根７６ａ，ｂ，ｃ表面の傾斜角度、ウェイト８６ａ，ｂの有無・取付位置・重さ、第一ストッパー５０や第二ストッパー５８の有無・取付位置・形状・角度、減速用スロープ９６ａ，ｂの有無・形状・角度、及び入賞口５６，８８の位置・大きさ・形状などによって変更することができる。例えば、前述したように、羽根７６ａ，ｂ，ｃ表面の入賞口方向への傾斜角度をより強めれば入賞確率を高めることができ、傾斜角度を弱めれば入賞確率を低めることができる。また、ウェイト８６ａ，ｂの重さを増したり取付位置を回転軸７２から遠ざけたりすることにより重心を回転軸７２からより遠くすることによって、回転体本体７０ａ，ｂ，ｃ，ｄは容易には回転し難くなり、よって羽根７６ａ，ｂ，ｃに落下した遊技球は、羽根７６ａ，ｂ，ｃ表面上に滞留し易くなる。したがって、遊技球を入賞口５６，８８へ導かれ易くすることができる。また、例えば、ストッパー５０，５８の長さを短くすることにより、ストッパー５０，５８横に外れる遊技球の割合を増加させることができ、入賞口５６，８８への入賞確率を低めることができる。また、例えば、減速用スロープ９６ａ，ｂの角度を遊技球の落下方向に対してより強めることにより、遊技球の落下速度をより低下させることができ、入賞口５６，８８への入賞確率を高めることができ、角度を落下方向に対して弱めることにより、入賞確率を低めることができる。そして当然ながら、入賞口５６，８８の位置・大きさ・形状などの変更により入賞確率を変更することができる。
【００６４】
また、例えば、ウェイト８６ａ，ｂの数や形状は変更することができる。また、別体のウェイト８６ａ，ｂを取り付ける態様だけではなく、前面板８２などにウェイト相当の部位を一体的に形成することにより重心を偏芯させても良い。また、第一、第二ストッパー５０，５８は他の形状としても入賞口５６方向に遊技球を誘導できるものであれば良い。また、第一、第二ストッパー５０，５８の形状を変更して下方に遊技球が落下しないように設けて、回転体本体７０ａの正面視左側に誘導された全ての遊技球を入賞口５６に入賞させるようにすることもできる。また、ストッパーを回転体本体７０の左右両側に配置することもできる。また、羽根７６の数を変更することもできる。
【図面の簡単な説明】
【００６５】
【図１】本発明の回転体装置を用いたパチンコ機の正面図である。
【図２】回転体装置の一部透視正面図である。
【図３】図２の回転体装置のＡ−Ａ線断面図である。
【図４】回転体装置の正面側斜視図である。
【図５】図２の回転体装置のＡ−Ａ線断面斜視図である。
【図６】回転体装置の背面側斜視図である。
【図７】回転体装置の正面図である。
【図８】第二の実施の形態に係る回転体装置の一部透視正面図である。
【図９】第三の実施の形態に係る回転体装置の一部透視正面図である。
【図１０】図９の回転体装置のＡ−Ａ線断面図である。
【図１１】図９の回転体装置の正面側斜視図である。
【図１２】第四の実施の形態に係る回転体装置の一部透視正面図である。
【図１３】図１１の回転体装置のＡ−Ａ線断面図である。
【符号の説明】
【００６６】
１；機枠、２；本体、３；パチンコ機、４；前面枠、５；ガラス扉枠、６；遊技盤、７；前面扉、８；球受け皿、９；余剰球受け皿、１０；操作ハンドル、１２；ガイドレール１３；遊技領域、１４；特別図柄表示装置、１５；表示部、１６；始動入賞口、１７ａ，１７ｂ；開閉翼片、１８；可変大入賞口装置、１９；開口部、２０；開閉扉、３４；一般入賞口、３６；通過チャッカー、３８；普通図柄表示装置、４０ａ，ｂ，ｃ，ｄ；回転体装置、４２；ベース、４４；取付板、４６；上部、４８；下部、５０；第一ストッパー、５１；傾斜面、５２；流入口、５３；傾斜部、５４；挿通孔、５６；入賞口、５８；第二ストッパー、６０；排出口、６２；流下樋、７０ａ，ｂ，ｃ，ｄ；回転体本体、７２；回転軸、７４；回転部材、７６ａ，ｂ，ｃ；羽根、７８；軸部、８０；保留部、８２；前面板、８４；挿通孔、８６ａ，ｂ；ウェイト、８８；入賞口、９０；流下樋、９２；前面板、９４；ウェイト、９６ａ，ｂ；減速用スロープ、９８ａ，ｂ；ガイド部、９９；前面板。
【図１】
2009142457.tif 000003
【図２】
2009142457.tif 000004
【図３】
2009142457.tif 000005
【図４】
2009142457.tif 000006
【図５】
2009142457.tif 000007
【図６】
2009142457.tif 000008
【図７】
2009142457.tif 000009
【図８】
2009142457.tif 000010
【図９】
2009142457.tif 000011
【図１０】
2009142457.tif 000012
【図１１】
2009142457.tif 000013
【図１２】
2009142457.tif 000014
【図１３】
2009142457.tif 000015